(57)【要約】【課題】  撮影者が自分を撮影しようとした際に、確実にそれに適した条件で撮影されるように自動設定されるデジタルカメラを提供する。【解決手段】  撮影方向を検出する撮影方向検出部５と、絞り値とシャッター速度を示すプログラム露出制御情報を記憶する露出制御情報記憶部１９と、露出制御を行う露出制御部とを備え、撮影方向検出部５が検出した撮影方向により撮影者自身が被写体であると判断される場合に、露出制御部がポートレート撮影用のプログラム露出制御情報に基づくプログラム露出制御を行うようにした。また、撮影輝度信号と出力輝度信号の関係を示す階調特性情報を記憶する階調特性情報記憶部１９と、階調特性情報に基づく階調補正処理を行う階調処理部を備えて、撮影者自身が被写体であると判断される場合に階調処理部がポートレート撮影用の階調特性情報に基づく階調補正処理を行うようにした。【選択図】  図２
2005215543.tif 000002
【特許請求の範囲】
【請求項１】
カメラ本体に対する撮像部の撮影方向が変更可能なデジタルカメラであって、
前記撮影方向を検出する撮影方向検出部と、
被写体の明るさに応じて選択される絞り値とシャッター速度を示すプログラム露出制御情報を記憶する露出制御情報記憶部と、
前記プログラム露出制御情報に基づくプログラム露出制御を含む露出制御を行う露出制御部とを備え、
前記露出制御情報記憶部は、ポートレート撮影用のプログラム露出制御情報を含む複数のプログラム露出制御情報を記憶しており、
前記露出制御部は、前記撮影方向検出部が検出した前記撮影方向により撮影者自身が被写体であると判断される場合に、前記ポートレート撮影用のプログラム露出制御情報に基づくプログラム露出制御を行うデジタルカメラ。
【請求項２】
カメラ本体に対する撮像部の撮影方向が変更可能なデジタルカメラであって、
前記撮影方向を検出する撮影方向検出部と、
撮影輝度信号と出力輝度信号の関係を示す階調特性情報を記憶する階調特性情報記憶部と、
前記階調特性情報に基づく階調補正処理を行う階調処理部とを備え、
前記階調特性情報記憶部は、ポートレート撮影用の階調特性情報を含む複数の階調特性情報を記憶しており、
前記階調処理部は、前記撮影方向検出部が検出した前記撮影方向により撮影者自身が被写体であると判断される場合に、前記ポートレート撮影用の階調特性情報に基づく階調補正処理を行うデジタルカメラ。
【請求項３】
カメラ本体に対する撮像部の撮影方向が変更可能なデジタルカメラであって、
前記撮影方向を検出する撮影方向検出部と、
被写体の明るさに応じて選択される絞り値とシャッター速度を示すプログラム露出制御情報を記憶する露出制御情報記憶部と、
前記プログラム露出制御情報に基づくプログラム露出制御を含む露出制御を行う露出制御部と、
撮影輝度信号と出力輝度信号の関係を示す階調特性情報を記憶する階調特性情報記憶部と、
前記階調特性情報に基づく階調補正処理を行う階調処理部とを備え、
前記露出制御情報記憶部は、ポートレート撮影用のプログラム露出制御情報を含む複数のプログラム露出制御情報を記憶しており、
前記階調特性情報記憶部は、ポートレート撮影用の階調特性情報を含む複数の階調特性情報を記憶しており、
前記撮影方向検出部が検出した前記撮影方向により撮影者自身が被写体であると判断される場合に、前記露出制御部が前記ポートレート撮影用のプログラム露出制御情報に基づくプログラム露出制御を行うとともに前記階調処理部が前記ポートレート撮影用の階調特性情報に基づく階調補正処理を行うデジタルカメラ。
【請求項４】
前記ポートレート撮影用のプログラム露出制御情報は、相対的に絞りを開いた露出を行うための情報である請求項１又は請求項３記載のデジタルカメラ。
【請求項５】
前記ポートレート撮影用の階調特性情報は、相対的にコントラストを低くした画像データを得るための情報である請求項２又は請求項３記載のデジタルカメラ。
【請求項６】
前記撮像部が前記カメラ本体に対して回転自在に軸支され、前記撮影方向検出部が前記撮像部の回転位置を検出する角度センサからなる請求項１〜請求項５のいずれか１項記載のデジタルカメラ。
【発明の詳細な説明】
【技術分野】
【０００１】
本発明は、デジタルカメラに関し、特にカメラ本体に対する撮像部の撮影方向が変更可能なデジタルカメラに関する。
【背景技術】
【０００２】
写真撮影を行う際の重要な被写体の一つに人物、特に顔が挙げられる。この場合には、レンズの被写界深度が浅くなるように、即ち、合焦する距離範囲が狭くなるように絞りを開き、主要被写体のみが合焦する条件にマニュアル設定等して撮影が行われる。また、肖像写真（ポートレート）は肌色のつながりが重要なので、例えば写真館ではコントラストの低い（軟調型）フイルムを選んで撮影することも行われる。
【０００３】
近年、一部のカメラには「ポートレート撮影モード」が用意されており、ユーザがこのモードに設定すると、絞り値を相対的に小さく、即ち、開きめにする条件が設定され、主要被写体のみが合焦する条件で撮影が行われる。下記特許文献１に開示されるカメラは、このようなモードにマニュアル設定できるもので、背景がボケにくいレンズを使用した場合に、ｆ値等から背景をぼかすことを狙いとしている。なお、このような露光条件は合焦範囲が狭いので、風景撮影等には必ずしも良い条件とは言えない。
【０００４】
また、下記特許文献２に開示される撮影モード自動選択装置を備えたカメラは、カメラ被写体距離やレンズ焦点距離等から画面中の顔サイズを予測し、顔サイズがある大きさ以上であった場合にポートレート撮影モードに設定可能としている。
【０００５】
また、下記特許文献３に開示されるカメラは、セルフポートレート撮影モードを有し、このモードにマニュアル設定することで、合焦位置や絞りを固定することにより、撮影者自身を撮影する場合に適した撮影モードを設定可能としている。フイルム用のカメラではコントラストを変更するのは困難であるが、デジタルスチルカメラ（以下、デジタルカメラと称す）では比較的容易となるので、写真の出来映えを信号処理により適宜調整するものがある。
【０００６】
一方、デジタルカメラには、ポートレート撮影時に撮像部をカメラ本体に対して回転可能にしたものがある。下記特許文献４には、撮像部を回転可能にすることで、使わないときはコンパクトにできるカメラ一体型記録装置が開示されている。
【０００７】
さらに、下記特許文献５に開示されるカメラ内蔵ノート型パーソナルコンピュータは、本体の向きを自在に変えるのは大変なので、撮像部を回転可能に構成し、本体を移動させることなく、自在に撮影方向を設定できるようにしている。
【０００８】
【特許文献１】特開平６−１１８４７３号公報
【特許文献２】特開平９−２８１５４１号公報
【特許文献３】特開２０００−３０５１３３号公報
【特許文献４】特開平１０−２１０３３４号公報
【特許文献５】特開平１０−１６４４１４号公報
【発明の開示】
【発明が解決しようとする課題】
【０００９】
しかしながら、特許文献１、特許文献３に開示されるカメラは、撮影モードが白動設定ではないので、ポートレ一ト撮影時に設定を忘れたり、逆にリセットを忘れてポートレート撮影モード設定のまま風景を撮影してしまう等の撮影ミスの生じやすい欠点があった。
また、特許文献２に開示されるカメラは、カメラ被写体距離やレンズ焦点距離等から画面中の顔サイズを予測し、ポートレート撮影モードに設定可能としているが、通常、カメラ被写体距離の測距は画面中央で行うので、人物が画面中央に位置しないとポートレート撮影モードに入らない欠点があった。
また、特許文献４に開示されるカメラ一体型記録装置は、撮影を行う角度にすると、自動的に電源スイッチがオンとなる機能を備えており、特許文献５に開示される技術は、撮影方向が変更可能なカメラ内蔵ノート型パーソナルコンピュータに関するものであるが、いずれも撮像部を撮影者自身に向けることと撮影モ一ドの設定については、双方を関連付ける技術はなかった。
本発明は上記状況に鑑みてなされたもので、撮影者が自分を撮影しようとした際に、確実にそれに適した条件で撮影されるように自動設定されるデジタルカメラを提供し、セルフポートレートの適正な撮影を、容易にかつ確実に行わせることを目的とする。
【課題を解決するための手段】
【００１０】
上記目的は下記構成のデジタルカメラにより達成できる。
（１）カメラ本体に対する撮像部の撮影方向が変更可能なデジタルカメラであって、前記撮影方向を検出する撮影方向検出部と、被写体の明るさに応じて選択される絞り値とシャッター速度を示すプログラム露出制御情報を記憶する露出制御情報記憶部と、前記プログラム露出制御情報に基づくプログラム露出制御を含む露出制御を行う露出制御部とを備え、前記露出制御情報記憶部は、ポートレート撮影用のプログラム露出制御情報を含む複数のプログラム露出制御情報を記憶しており、前記露出制御部は、前記撮影方向検出部が検出した前記撮影方向により撮影者自身が被写体であると判断される場合に、前記ポートレート撮影用のプログラム露出制御情報に基づくプログラム露出制御を行うデジタルカメラ。
【００１１】
このデジタルカメラでは、撮影者自身が被写体であると判断される場合に、ポートレート撮影用のプログラム露出制御情報に基づくプログラム露出制御を行うので、撮影者自身を撮影しようとする際に、確実にそれに適した露出制御が行われる。
【００１２】
（２）カメラ本体に対する撮像部の撮影方向が変更可能なデジタルカメラであって、前記撮影方向を検出する撮影方向検出部と、撮影輝度信号と出力輝度信号の関係を示す階調特性情報を記憶する階調特性情報記憶部と、前記階調特性情報に基づく階調補正処理を行う階調処理部とを備え、前記階調特性情報記憶部は、ポートレート撮影用の階調特性情報を含む複数の階調特性情報を記憶しており、前記階調処理部は、前記撮影方向検出部が検出した前記撮影方向により撮影者自身が被写体であると判断される場合に、前記ポートレート撮影用の階調特性情報に基づく階調補正処理を行うデジタルカメラ。
【００１３】
このデジタルカメラでは、撮影者自身が被写体であると判断される場合に、ポートレート撮影用の階調特性情報に基づく階調補正処理を行うので、撮影者自身を撮影しようとする際に、確実にそれに適した補正処理が行われる。
【００１４】
（３）カメラ本体に対する撮像部の撮影方向が変更可能なデジタルカメラであって、前記撮影方向を検出する撮影方向検出部と、被写体の明るさに応じて選択される絞り値とシャッター速度を示すプログラム露出制御情報を記憶する露出制御情報記憶部と、前記プログラム露出制御情報に基づくプログラム露出制御を含む露出制御を行う露出制御部と、撮影輝度信号と出力輝度信号の関係を示す階調特性情報を記憶する階調特性情報記憶部と、前記階調特性情報に基づく階調補正処理を行う階調処理部とを備え、前記露出制御情報記憶部は、ポートレート撮影用のプログラム露出制御情報を含む複数のプログラム露出制御情報を記憶しており、前記階調特性情報記憶部は、ポートレート撮影用の階調特性情報を含む複数の階調特性情報を記憶しており、前記撮影方向検出部が検出した前記撮影方向により撮影者自身が被写体であると判断される場合に、前記露出制御部が前記ポートレート撮影用のプログラム露出制御情報に基づくプログラム露出制御を行うとともに前記階調処理部が前記ポートレート撮影用の階調特性情報に基づく階調補正処理を行うデジタルカメラ。
【００１５】
このデジタルカメラでは、撮影者自身が被写体であると判断される場合に、ポートレート撮影用のプログラム露出制御情報に基づくプログラム露出制御を行うとともに、ポートレート撮影用の階調特性情報に基づく階調補正処理を行うので、撮影者自身を撮影しようとする際に、確実にそれに適した露出制御及び補正処理が行われる。
【００１６】
（４）前記ポートレート撮影用のプログラム露出制御情報は、相対的に絞りを開いた露出を行うための情報である前記（１）又は（３）記載のデジタルカメラ。
【００１７】
このデジタルカメラでは、撮影者自身を撮影しようとする際に、通常の場合より相対的に絞りを開いた露出を行うので、被写界深度が浅くなり、主要被写体のみに合焦した撮影が可能となる。
【００１８】
（５）前記ポートレート撮影用の階調特性情報は、相対的にコントラストを低くした画像データを得るための情報である前記（２）又は（３）記載のデジタルカメラ。
【００１９】
このデジタルカメラでは、撮影者自身を撮影しようとする際に、通常の階調特性に対して相対的にコントラストを低くされるので、撮影画像の白飛びが防止されるとともに、柔らかさのある画質が得られ、主要被写体である特に顔部分のつながりのよい撮影が可能となる。
【００２０】
（６）前記撮像部が前記カメラ本体に対して回転自在に軸支され、前記撮影方向検出部が前記撮像部の回転位置を検出する角度センサからなる前記（１）〜（５）のいずれか１項記載のデジタルカメラ。
【００２１】
このデジタルカメラでは、角度センサにより撮像部の回転位置を検出することで、撮影者が被写体か否かが判定される。
【発明の効果】
【００２２】
本発明に係るデジタルカメラによれば、撮影者が自分を撮影する際に、確実にそれに適した露出条件や階調補正条件に設定することができる。この結果、セルフポートレートの適正な撮影を、容易にかつ確実に行わせることができる。
【発明を実施するための最良の形態】
【００２３】
以下、本発明に係るデジタルカメラの好適な実施の形態について、図面を参照して詳細に説明する。
図１は撮影方向を撮影者とは反対側に向けた状態の本発明に係るデジタルカメラの外観斜視図である。
本実施形態によるデジタルカメラ（以下、単に、「カメラ」と称す。）１００は、撮像部１がカメラ本体３に対して回転自在に取り付けられている。つまり、撮像部１を回転させることで撮像部１の撮影方向を撮影者に向け、撮影者自身を撮影可能な、所謂、自分撮り対応カメラとなっている。また、カメラ１００は、撮像部１の撮影方向を検出する撮影方向検出部としての後述の撮像部−本体角度センサ（例えば回転角検出用エンコーダ等）を備えている。
【００２４】
図２は本発明に係るデジタルカメラのブロック構成図である。
このカメラ１００は、被写体の光学像をデジタル画像信号に変換して、着脱自在なメモリカード等の画像記録部７に記録するものであり、撮影光学系としてのレンズ９、絞り１１、及びＣＣＤ固体撮像素子（以下、「ＣＣＤ」と称す。）１３を備えている。なお、ＣＣＤ１３に代えて、ＣＭＯＳ固体撮像素子等他の撮像素子を用いることも可能である。
【００２５】
レンズ９は、単焦点レンズであってもよいし、ズームレンズ等の焦点距離可変のレンズであってもよい。図２では便宜上１枚のレンズを示したが、実際の撮影光学系は、固定レンズ、変倍レンズ、フォーカス調整用レンズ等、複数枚のレンズ群で構成される。
【００２６】
また、カメラ１００は画像等の表示が可能なカラー液晶画像表示部（ＬＣＤ）１５を有しており、ＬＣＤ１５によって撮像中の映像をモニタ表示したり、記録画像を再生表示することができる。ＬＣＤ１５は、ユーザが各種の設定操作等を行う際のユーザインターフェース用表示画面としても利用され、必要に応じて設定項目等のメニュー情報が表示される。また、ＬＣＤ１５に代えて、有機ＥＬ等他の表示装置を用いることも可能である。
【００２７】
さらに、カメラ１００は、ＡＥ（自動露出調整）機能及びＡＦ機能を有している。図２において、中央処理装置（ＣＰＵ）１７は、所定のプログラムに従って本カメラシステムを統括制御する制御手段として機能するとともに、ＡＥ／ＡＦ演算等各種の演算を実施する演算手段として機能する。ＣＰＵ１７に接続されている記憶部であるメモリ１９には、ＣＰＵ１７が実行するプログラム及び制御に必要な各種データ等が格納されている。メモリ１９は書き換え不能なものであってもよいし、ＥＥＰＲＯＭのように書き換え可能なものでもよい。
【００２８】
カメラ１００の操作部２１は、カメラ１００に対してユーザが各種の指示を入力するための手段である。撮影開始の指示を入力する図１に示す撮影スイッチ（シャッターボタン）２１ａ、その他、動作モードを選択するためモードダイヤル、メニュー画面の表示を指示するメニューボタン、メニュー項目の選択操作（カーソル移動操作）や再生画像のコマ送り／コマ戻し等の指示を入力する十字ボタン、選択項目の確定（登録）や動作の実行を指示するＯＫボタン、選択項目等所望の対象の消去や指示内容の取り消し、或いは一つ前の画面に戻るときに使用するＢＡＣＫボタン、電源スイッチ、ズームスイッチ等各種の操作手段が含まれる。
【００２９】
ＣＰＵ１７は、操作部２１からの指示信号に基づいてカメラ１００内の各回路の動作を制御する。即ち、ＣＰＵ１７は、レンズ９の駆動制御、ＣＣＤ１３の露光及び読み出し制御、画像処理制御、画像データの記録制御、画像記録部７の読み書き制御、ファイル管理、ＬＣＤ１５の表示制御等を行う。
【００３０】
ここで、カメラ１００の基本的な撮影機能について説明する。
レンズ９を通過した光は、絞り１１によって光量が調節された後、ＣＣＤ１３に入射する。ＣＣＤ１３の受光面には多数のフォトダイオード（感光画素）が二次元的に配列され、各フォトダイオードに対応して赤（Ｒ）、緑（Ｇ）、青（Ｂ）の原色カラーフィルタが所定の配列構造（ベイヤー、Ｇストライプ等）で配置されている。
【００３１】
レンズ９を介してＣＣＤ１３の受光面に結像された被写体像は、各フォトダイオードによって入射光量に応じた量の信号電荷に変換され、撮像素子駆動部２３から与えられるパルスに基づいて信号電荷に応じた電圧信号（画像信号）として順次読み出される。ＣＣＤ１３から出力された画像信号は、図示しないアナログ処理部に送られ、アナログ処理部においてアナログゲイン調整、ＣＤＳ（相関二重サンプリング）等の処理が行われる。アナログ処理部で生成された画像信号は、Ａ／Ｄ変換器２５によりデジタル信号に変換された後、信号処理部２７に送られる。
【００３２】
信号処理部２７は、ホワイトバランス補正回路、輝度（階調）・色差信号生成回路、ガンマ補正回路、輪郭強調回路等を含む画像処理手段であり、ＣＰＵ１７からのコマンドに従って画像信号を処理する。信号処理部２７に入力された画像データは、輝度信号及び色差信号に変換されるとともに、ガンマ補正等の所定の処理が施された後、画像記録部７に格納される。
【００３３】
操作部２１の撮影スイッチ２１ａは、半押しスイッチと、全押しスイッチとの二段式のスイッチで構成されている。ＣＰＵ１７は、撮影スイッチ２１ａの半押しを検知するとＡＥ制御及びＡＦ制御を行い、撮影スイッチ２１ａの全押しを検知すると、記録用の画像を取り込むためのＣＣＤ露光及び読み出し制御を開始する。
【００３４】
本例のカメラ１００におけるＡＦ機能は、画像信号（例えば、Ｇ信号）の高周波成分が最大になるようにレンズ９を移動させるコントラストＡＦであるが、勿論他の方式であってもよい。
【００３５】
カメラ１００には、ＣＰＵ１７によって制御されるレンズ駆動部２９が設けられ、図示しない位置センサ等のフォーカス位置検出手段から得られるフォーカス位置情報はＣＰＵ１７に入力される。
【００３６】
ＣＰＵ１７は、レンズ駆動部２９を制御してレンズ９を移動させながら、複数のＡＦ検出ポイントでＡＦ評価値の演算を行い、各ＡＦ検出ポイントで算出されたＡＦ評価値のプロファイルからＡＦ評価値が最大となるレンズ位置を合焦位置として決定する。そして、求めた合焦位置にレンズ９を移動させるようにレンズ駆動部２９を制御する。
【００３７】
ＡＥ制御についても同様に、撮影スイッチ２１ａの半押しを検知すると、ＲＧＢ信号を取り込み、これらのＲＧＢ信号を積算した積算値に基づいて被写体輝度（撮影ＥＶ値）を求め、この撮影ＥＶ値に基づいて撮影時の絞り値とシャッター速度を決定する。そして、撮影スイッチ２１ａの全押し時に、決定した絞り値になるように絞り駆動部３１を介して絞り１１を適正な絞り値に制御し、また、決定したシャッター速度となるようにシャッター駆動部３３が電荷蓄積時間を制御する。また、電子シャッターに加えて機械式のシャッター３２を併用してもよい。こうして、撮影スイッチ２１ａの全押しによって取り込まれた撮影輝度信号は、信号処理部２７を介して画像記録部７に送られる。
【００３８】
図３は撮影方向を撮影者に向けた状態のデジタルカメラの外観斜視図、図４は通常の撮影モードにおける露出制御条件を表す説明図、図５はポートレート撮影モードにおける露出制御条件を表す説明図である。
絞り１１と絞り駆動部３１、及び電子シャッターやシャッター３２とシャッター駆動部３３、並びにＣＰＵ１７は、露出制御部（ＡＥ機能）を構成している。この露出制御部は、上記のように、被写体の明るさに応じて絞りとシャッター速度を変化させるが、その際、両者の関係を決定するプログラム露出制御情報（以下、「プログラム線図」と称す。）を複数有している。
【００３９】
このプログラム線図は、一つが図４に示す通常撮影モード用、もう一つが図５に示すように、通常撮影モードに対して相対的に絞りを開いた露出を行うポートレート撮影モード用となっている。つまり、本カメラ１００においては、通常撮影モード又はポートレート撮影モードに対応させて、絞りとシャッター速度の関係を特定する少なくとも２種類のプログラム線図を有している。このプログラム線図は、関数やデータテーブルの形態で露出制御情報記憶部となるメモリ１９に格納されている。図４及び図５に示すように、各プログラム線図は、横軸４１がシャッター速度（Ｔｖ値）、縦軸４３が絞り（Ａｖ値）、横軸４５が輝度（ＥＶ値）を示す。
【００４０】
図５に示したポートレート撮影モード用のプログラム線図は、図４に示した通常のプログラム線図に対して相対的に絞りを開いた露出制御を行うので、被写界深度を浅くして、主要被写体となる人物のみに合焦する撮影を可能にしている。
【００４１】
カメラ１００では、図３に示すように、撮像部１が支持軸回りに回動され、撮像部１の撮影方向が撮影者側へ向いているとした角度検出信号が図２に示す角度センサ５からＣＰＵ１７へ送られると、ＣＰＵ１７は、撮影者自身が被写体であると判断する。するとＣＰＵ１７は、通常のプログラム線図に代えてポートレート撮影モード用のプログラム線図を選択し、このポートレート撮影モード用のプログラム線図に基づき露出制御する。また、撮像部１が回動され、撮像部１の撮影方向が撮影者とは反対側へ向いているとした角度検出信号が角度センサ５からＣＰＵ１７へ送られると、ＣＰＵ１７は、撮影者自身が被写体ではないと判断する。するとＣＰＵ１７は、ポートレート撮影モードに切り替えられる前の設定モードに戻り、前の設定モードのプログラム線図に基づき露出制御する。即ち、撮影者自身が被写体でないと判断すると、前の設定モード（例えば通常撮影モード）に切り替わり、前に設定されたプログラム線図が選択されるようになっている。つまり、撮像部１の撮影方向に応じて自動的に撮影モードの切り替えが行われるようになっている。
【００４２】
図６は露出制御の選択動作を説明するフローチャートである。
カメラ１００は、撮像部１がカメラ本体３に対して回転自在にカメラ本体３に軸支された構成であるので、図３に示すように、撮影者は撮像部１のレンズを手前側に向け、ＬＣＤ１５に映った自分自身を見ながら撮影することができる。また、図１に示すように、撮像部１をこれと反対側に向ければ、通常の風景撮影等が行える。ここで、撮影者自身を撮影するときは、ポートレート撮影に適したモードが自動的に選択される。即ち、カメラ１００では、撮像部１とカメラ本体３との成す角度が角度センサ５によって検出され（Ｓｔ１１）、撮像部１の撮影方向が撮影者側であるか否かの判断がＣＰＵ１７によってなされる（Ｓｔ１２）。また、角度センサが、撮像部１の撮影方向を検知して、撮影者自身が被写体となる場合と、被写体とならない場合とで異なるステータス信号をＣＰＵ１７に出力するものであってもよい。
【００４３】
撮像部１の撮影方向が撮影者側であると判定された場合は、図４に示す通常の撮影用のプログラム線図に代えて、図５に示すポートレート撮影用のプログラム線図が使用される（Ｓｔ１３）。これにより、相対的に絞りを開いた露出で撮影が行われ（Ｓｔ１４）、画像データが画像記録部７に記録される（Ｓｔ１５）。その結果、被写界深度が浅くなり、自分だけに合焦された画像が得られることになる。
また、撮像部１の撮影方向が撮影者とは反対側であると判定された場合は、撮像部１が撮影者側に向けられる前の設定モード（ここでは通常撮影モードとする）に戻り、その場合には図４に示す通常の撮影用のプログラム線図が使用され（Ｓｔ１６）、通常の露出条件で撮影が行われ（Ｓｔ１４）、得られた撮影輝度信号が記録される（Ｓｔ１５）。
【００４４】
この第１の実施形態によるデジタルカメラ１００によれば、撮像部１の撮影方向を検出する角度センサ５と、通常撮影モード又はポートレート撮影モードに対応させて少なくとも２種類のプログラム線図を格納したメモリ１９と、撮像部１の撮影方向が撮影者側となる角度検出信号を受けることでポートレート撮影モード用のプログラム線図を選択するＣＰＵ１７とを備えたので、撮像部１を操作して、撮影者自身を撮影しようとした場合に、相対的に絞りを開いた露出を行うプログラム線図が自動的に選択され、確実にセルフポートレート撮影に適した露出制御を行うことができる。この結果、セルフポートレートを、意図的にカメラ１００の撮影モードを変更することなく、撮像部１を撮影者自身に向けるという単純な操作だけで、確実にポートレート撮影用の露出制御が行われる。従って、撮影者は撮影モード変更を意識する必要がなくなり、操作ミスによる撮影の失敗も無くなって、カメラ１００の使い勝手が大幅に向上する。
【００４５】
なお、カメラ１００は、操作部２１にポートレート撮影モード選択ボタン４７を設けておき、この選択ボタン４７をマニュアル操作することで、撮像部１の撮影方向を撮影者側としない通常の撮影時においても、ポートレート撮影モード用のプログラム線図を用いた撮影を可能とする構成であってもよい。また、撮像部１の撮影方向を撮影者側としたときであっても、ポートレート撮影モードではなく、通常撮影モード等の他のプログラム線図を用いて撮影可能な構成であってもよい。このようにマニュアル操作によりポートレート撮影モードの設定を選択可能にしておくことで、撮影者の意思通りの露出制御が行え、カメラ１００の使い勝手を一層向上させることができる。
【００４６】
次に、上記デジタルカメラの一変形例を説明する。
本発明によるカメラは、撮影者自身の撮影が容易なように撮像部を回転可能にした携帯電話内蔵型のデジタルカメラに対しても好適に用いることができる。
図７は本発明に係るデジタルカメラが応用可能な二つ折りタイプの携帯電話内蔵型デジタルカメラの斜視図、図８は図７に示したデジタルカメラの閉状態の側面図、図９は図７に示したデジタルカメラの開状態の側面図である。
このカメラ５１は、本体５３と、この本体５３に回動自在にヒンジ接合された表示部５５とを有し、表示部５５のヒンジ接合部に撮像部を設けている。そして、本体５３に対して表示部５５が閉じた図８に示す状態と、表示部５５が開いた図９に示す状態とが区別できるような前述同等の撮影方向検出部としてのセンサ（図示せず）を本体５３又は表示部５５に予め設けておく。なお、本体５３のヒンジ接合部の一部には、表示部５５の折りたたみ時にカメラ５１のレンズ９を表出させる窓部５７が形成されている。
【００４７】
この構成によれば、図８に示す表示部５５が閉じた状態で撮影する場合には、本体５３の窓部５７を通してレンズ９が表出しており、撮影範囲φ1で撮影される。このときは、通常のプログラム線図を用いて露光制御される。一方、図９に示す表示部５５が開いた状態で撮影する場合には、表示部５５の表示面側でレンズ９が表出しており、撮影範囲φ2で撮影される。このときは、相対的に絞りを開いた露出制御のポートレート撮影用のプログラム線図を用いて露光制御される。
つまり、本カメラ５１においては、所謂、「撮影モード」自体が存在せず、単に表示部５５の開閉に応じて露光制御内容を切り替えるものである。このようなカメラ５１であっても、本発明に係る撮像部の撮影方向に応じた露出制御の切り替えを実施して、撮影者自身を撮影する場合に、それに適した露出制御を行うことができる。
【００４８】
次に、本発明に係るデジタルカメラの第２の実施形態について説明する。
本実施形態においては、露出制御部によるプログラム線図の切り替えに代えて、階調特性の補正処理を行っている。
図１０は階調補正の選択を説明するフローチャート、図１１は階調特性情報を表す説明図である。なお、図１０においては、図６に示す処理と同様のステップには同一の符号を付与している。
【００４９】
本実施形態におけるカメラは、撮影輝度信号の階調補正処理に特徴を有している。また、メモリ１９は、通常撮影モード、ポートレート撮影モードに対応する少なくとも２種類の階調補正情報である階調特性テーブルを記憶している。つまり、本実施形態のカメラは、少なくとも２種類の階調特性テーブルを有し、一つの階調特性テーブルは図１１の曲線６１で示す通常の撮影モ一ド用であり、もう一つの階調特性テーブルは図１１の曲線６３で示すコントラストを低めにした軟調なポートレート撮影モード用となっている。これら曲線６１、６３は、撮影輝度信号と出力輝度信号との関係を表す相関データ群、或いは各種パラメータにより表現される関数として得ることができる。以下、これら曲線６１、６３を、通常撮影モードの階調特性テーブル６１、ポートレート撮影モードの階調特性テーブル６３と称する。
【００５０】
ＣＰＵ１７は、角度センサ５から角度検出信号を受けて、撮像部１の撮影方向が撮影者側であると判定すると、現在設定されている例えば通常の階調特性テーブル６１に代えて、ポートレート撮影モードの階調特性テーブル６３を選択するようになっている。即ち、この実施形態によるカメラでは、撮像部１とカメラ本体３との成す角度が角度センサ５によって検出され（Ｓｔ１１）、撮像部１の撮影方向がＣＰＵ１７によって判定される（Ｓｔ１２）。ここで、ＣＰＵ１７、階調特性情報としての階調特性テーブルを記憶しているメモリ１９は、撮影輝度信号の階調補正処理を行う階調処理部を構成している。
【００５１】
撮像部１の撮影方向が撮影者側であると判定された場合は、現在の階調特性テーブル６１に代えて、ポートレート用の階調特性テーブル６３を使用する（Ｓｔ２１）。そして、撮影を行って（Ｓｔ１４）得られた撮影輝度信号を、階調処理部がポートレート撮影用の階調特性テーブル６３に基づいて補正し（Ｓｔ２２）、この補正された信号を出力輝度信号として画像記録部７へ送る。これにより、通常の階調特性テーブル６１に対して低いコントラストで、画像データが画像記録部７に記録される（Ｓｔ１５）。従って、撮影画像の白飛びが防止されるとともに、柔らかさのある画質が得られ、主要被写体である人物の特に顔部分が、つながりよく撮影されて滑らかなトーン表現が可能となる。
【００５２】
また、撮像部１の撮影方向が撮影者とは反対側であると判定されたときは、前の設定モードである、例えば通常の階調特性テーブル６１が使用される（Ｓｔ２３）。その場合には、撮影（Ｓｔ１４）して得られた撮影輝度信号を階調処理部が通常の階調特性テーブルを用いて補正し（Ｓｔ２２）、この補正された信号を画像記録部７に記録する（Ｓｔ１５）。
【００５３】
また、本実施形態によるカメラにおいても、操作部２１に設けたポートレート撮影モード選択ボタン４７をマニュアル操作することで、撮像部１のレンズを手前側に向けない通常の撮影時においても、ポートレート撮影モード用の階調特性テーブル６３を用いた階調補正を可能にした構成であってもよい。また、撮像部１の撮影方向を撮影者側としたときであっても、ポートレート撮影モードでなく、通常の撮影モードの階調特性テーブル６１を用いて階調補正を可能にした構成であってもよい。
【００５４】
この第２の実施形態によるデジタルカメラによれば、撮像部１の撮影方向を検出する角度センサ５と、通常撮影モード又はポートレート撮影モードに対応する少なくとも２種類の階調特性テーブル６１、６３を記憶したメモリ１９と、撮像部１の撮影方向が撮影者側となる角度検出信号を受けることでポートレート撮影モード用の階調特性テーブル６３を選択するＣＰＵ１７とを備えたので、操作部２１を操作して、撮影者自身を撮影しようとした場合に、ポートレート撮影モード用の階調特性テーブル６３が自動的に選択され、確実にセルフポートレート撮影に適した階調補正を行うことができる。この結果、セルフポートレートを、意図的にカメラ１００の撮影モードを変更することなく、撮像部１を撮影者自身に向けるという単純な操作だけで、確実にポートレート撮影用の階調補正が行われる。従って、撮影者は撮影モード変更を意識する必要がなくなり、操作ミスによる撮影の失敗も無くなって、カメラ１００の使い勝手が向上する。
このポートレート撮影モード用の階調特性テーブル６３を用いた階調補正処理により、主要被写体である人物の特に顔を、軟調なトーン表現とすることが可能となる。
【００５５】
なお、上記した第２の実施形態によるデジタルカメラにおいても、第１の実施形態のデジタルカメラ１００の場合と同様に、図７〜図９に示した携帯電話内蔵型のデジタルカメラに対して適用することができる。
【００５６】
また、上記した各実施形態では、第１の実施形態によるデジタルカメラ１００が露出制御の選択機能を有し、第２の実施形態によるデジタルカメラが階調特性の選択機能を有する場合を説明したが、本発明によるデジタルカメラは、これら双方の機能を備えるものであってもよい。即ち、図１２に示すように、撮像部１の撮影方向が撮影者側であると判定された場合は、前述したＳｔ１３とＳｔ２１とを共に実施し、撮影（Ｓｔ１４）、階調補正（Ｓｔ２２）、記録（Ｓｔ１５）を行う。
また、撮像部１の撮影方向が撮影者とは反対側であると判定された場合は、前述したＳｔ１６とＳｔ２３とを共に実施して撮影（Ｓｔ１４）、階調補正（Ｓｔ２２）、記録（Ｓｔ１５）を行う。
この場合には、主要被写体のみに合焦するとともに、撮影画像の白飛びが防止され、人物像を背景から浮き挙げつつ一層滑らかな軟調のトーンでの表現が可能となる。そして、これら効果が相乗的に作用して、視感的な画質品質を大きく向上させることができる。
【図面の簡単な説明】
【００５７】
【図１】撮影方向を撮影者とは反対側に向けた状態の本発明に係るデジタルカメラの外観斜視図である。
【図２】本発明に係るデジタルカメラのブロック構成図である。
【図３】撮影方向を撮影者に向けた状態のデジタルカメラの外観斜視図である。
【図４】通常の撮影モードにおける露出制御条件を表す説明図である。
【図５】ポートレート撮影モードにおける露出制御条件を表す説明図である。
【図６】露出制御の選択動作を説明するフローチャートである。
【図７】本発明に係るデジタルカメラが応用可能な携帯電話内蔵型デジタルカメラの斜視図である。
【図８】図７に示したデジタルカメラの閉状態の側面図である。
【図９】図７に示したデジタルカメラの開状態の側面図である。
【図１０】階調補正の選択動作を説明するフローチャートである。
【図１１】階調特性情報を表す説明図である。
【図１２】露出制御及び階調補正の選択動作を説明するフローチャートである。
【符号の説明】
【００５８】
１  撮像部
５  撮像部−本体角度センサ（撮影方向検出部）
１１  絞り
１３  撮像素子
３２  シャッター
１７  ＣＰＵ
１９  メモリ（記憶部）
２７  信号処理部
３１  絞り駆動部
３３  シャッター駆動部
１００  デジタルカメラ
【図１】
2005215543.tif 000003
【図２】
2005215543.tif 000004
【図３】
2005215543.tif 000005
【図４】
2005215543.tif 000006
【図５】
2005215543.tif 000007
【図６】
2005215543.tif 000008
【図７】
2005215543.tif 000009
【図８】
2005215543.tif 000010
【図９】
2005215543.tif 000011
【図１０】
2005215543.tif 000012
【図１１】
2005215543.tif 000013
【図１２】
2005215543.tif 000014